(57)【要約】      （修正有）【課題】設置の自由度が高くかつ発光エレメント及びランプ座の過熱を保護できる過熱温度の保護装置を提供する。【解決手段】基板１０、ランプ座ヘッド２０、延伸線４０、および最少一つの温度制御エレメント１１を含み、前記基板は口銅１２を備え、ランプ座ヘッドと基板及び口銅が電気的に接続され、感知ユニット３０は延伸線によって基板の間は電気的接続され、感知ユニットの電子信号を基板に送信し、発光エレメントの始動または遮断を制御し、電気的に接続された温度制御エレメントと基板は温度変化によってランプ座ヘッドと口銅の電気的接続または遮断を制御する。【選択図】図１
0003150928.tif 000002
【実用新案登録請求の範囲】
【請求項１】
過熱温度の保護装置であって、
発光エレメント５０の取り付けに用いられる口銅１２を備える基板１０と、
基板１０及び口銅１２と電気的に接続されるランプ座ヘッド２０と、
一端は感知ユニット３０を備え、感知ユニット３０はそれによって基板１０と電気的に接続され、並びに感知ユニット３０の電子信号を基板１０に伝送し、発光エレメント５０の始動または遮断を制御する延長線４０と、
基板１０と電気的に接続し、並びに温度の変化によってランプ座ヘッド２０と口銅１２の電気的接続または遮断を制御することができる最少一つの温度制御エレメント１１とを備えることを特徴とする過熱温度の保護装置。
【請求項２】
前記感知ユニット３０は複数個の感知エレメントを備え、感知エレメントは感光エレメント３１または感温エレメント３２によって構成されるものを特徴とする請求項１記載の過熱温度の保護装置。
【請求項３】
前記感知ユニット３０には遅延スイッチ３３を備えることを特徴とする請求項１記載の過熱温度の保護装置。
【考案の詳細な説明】
【技術分野】
【０００１】
本考案はランプ（ｌａｍｐ）座の過熱温度の保護装置に関するものである。
【背景技術】
【０００２】
従来のランプ座は発光エレメント（ｅｌｅｍｅｎｔ）に対する過熱保護の設備がないので、発光エレメントが長時間に亘る使用のし過ぎによって高温が発生する可能がある。または取り付け不良によって異常な高温が発生し、安全設備の保護が欠ける状況に於いてその発光エレメントが焼けてしまう可能がある。このような事態を放置すると甚だしくは発光エレメントまたはランプ座が故障して周囲の品物が燃え上がり、使用上に於いて火災になる恐れがある。
【０００３】
また、従来のランプの始動または遮断を感知する機能を備えるランプ座は、その感知ユニット（ｕｎｉｔ）の多くはランプ座に設置され、ランプ座が壁または天井等如何なる平面に取り付けられた場合、その感知ユニットにより感知できる範囲が固定的で、かつ単一方向である。その感知ユニットの感知方向または感知範囲を調整する場合、大変苦労してランプ座を取り外し、そして感知可能な範囲位置に取り付けなければならない。このような上記した欠点は従来の感知機能を備えたランプ座の応用性を制限するものである。
【考案の概要】
【考案が解決しようとする課題】
【０００４】
本考案は感知機能のあるランプ座の使用時の過熱故障の問題を解決するものである。
【課題を解決するための手段】
【０００５】
本考案は過熱温度の保護装置の一種であり、基板、ランプ座ヘッド（ｈｅａｄ）、延伸線、および最少一つの温度制御エレメントを含む。前記基板には発光ユニットの取り付けに供される口銅を備える。そのランプ座ヘッドと基板及び口銅は電気的に接続される。延伸線の一端は感知ユニットであり、その感知ユニットは延伸線によって基板の間は電気的接続され、並びに感知ユニットの電子信号を基板に送信し、発光エレメントの始動または遮断を制御する。温度制御エレメントと基板は電気的に接続され、かつ温度の変化によってランプ座ヘッドと口銅の電気的接続または遮断を制御する。
【考案の効果】
【０００６】
本考案は温度制御エレメントを備えるため、長時間使用される発光エレメントに対し、温度が設定範囲を超えた場合に自動的に遮断することができ、発光エレメント及び周囲環境に対して保護的効果を発揮する。さらに感知ユニットは延長線をもって基板に連結され、感知ユニットは移動可能に感知信号を受けるのに適した位置に設置することができ、かつ環境中の光線及び温度の変化を感知して信号をランプ座の基板に発信し、基板は環境中の温度または光線の変化によって発光エレメントを始動または遮断することができる。
【図面の簡単な説明】
【０００７】
【図１】本考案に係る過熱温度の保護装置の分解斜視図である。
【図２】本考案に係る過熱温度の保護装置の全体斜視図である。
【図３】図２の部分断面図である。
【図４】本考案に係る過熱温度の保護装置の使用状態を説明するための断面図である。
【図５】本考案に係る過熱温度の保護装置の別の使用状態の説明図である。
【考案を実施するための形態】
【０００８】
［実施例］
図１から図３に示すランプ座の過熱温度の保護装置を参照して説明する。
本考案に係るランプ座の過熱温度の保護装置は、基板１０と、最少一つの温度制御エレメント１１と、ランプ座ヘッド２０と、感知ユニット３０と、延伸線４０とを含む。
【０００９】
基板１０には口銅１２を備える。
【００１０】
温度制御エレメント１１は基板１０と電気的に接続される。
【００１１】
そのランプ座ヘッド２０は下向きに拡大延伸して上フード２１を形成し、かつ上フード２１と対応して結合する下フード２２を備える。上フード２１と下フード２２は結合して基板１０の設置に用いられる収納空間を形成する。下フード２２は孔２２１を備える。前記口銅１２は孔２２１に取り付けられ、ランプ座ヘッド２０と基板１０は電気的に接続される。
【００１２】
延伸線４０は長い彎曲可能なものである。かつ延伸線４０は感知ユニット３０と基板１０を電気的に接続する。
【００１３】
感知ユニット３０には一つ以上の感知エレメントを備える。感知エレメントは感光エレメント３１または／及び感温エレメント３２が含まれる。感知ユニット３０には前記口銅１２の持続通電時間を制御調整することができる遅延スイッチ３３を備える。
【００１４】
図４から図５に基づいて説明すると、基板１０は上フード２１と下フード２２から構成された収納空間に設置される。口銅１２は孔２２１を貫通して発光ユニット５０に結合される。過熱温度の保護装置はランプ座ヘッド２０によって一般のランプ座に設置され、一般のランプ座から電源が提供される。
たとえ発光ユニット５０が取り付け不良または部品の故障等によって発光ユニット５０またはランプ座の温度が異常に上昇し、発光ユニット５０の温度が温度制御ユニット１１に設定された安全値を超えた場合には、基板１０に設置された温度制御ユニット１１が作動して、発光ユニット５０へ電源を供給するランプ座の間の通電路を遮断する。その結果、発光ユニット５０の温度は下がり、ランプ及び環境の安全性を確保する。
【００１５】
本考案に於いて、基板１０は延伸線４０によって感知ユニット３０に接続され、感知ユニット３０には感光エレメント３１及び感温エレメント３２を備え、延伸線４０は彎曲可能な長い線であるので、延伸線４０を到達可能な範囲内に於いて任意に設置できて、甚だしくは障害物を迂回できるので、感知の範囲に全く制限がない。そのため、感知ユニット３０は如何位置においても環境の温度及び光源の感知を行うことができる。一旦、人が感知ユニット３０の感知範囲から経過するとランプ座は発光エレメント５０を始動し、人が離れると直ちに遮断する。感知ユニット３０の遅延スイッチ３３は使用者にランプ座が感知した状況から正常に回復した後、ランプが照明を持続する時間を自由に調整できるようにする。
【符号の説明】
【００１６】
１０        基板
１１        温度制御エレメント
１２        口銅
２０        ランプ座ヘッド
２１        上フード
２２        下フード
２２１      孔
３０        感知ユニット
３１        感光エレメント
３２        感温エレメント
３３        遅延スイッチ
４０        延長線
５０        発光エレメント
【図１】
0003150928.tif 000003
【図２】
0003150928.tif 000004
【図３】
0003150928.tif 000005
【図４】
0003150928.tif 000006
【図５】
0003150928.tif 000007